(57)【要約】【課題】マルチフレームを用いて送信されるＯＨ情報にビット誤り対する耐性を高めた伝送システムを提供する。【解決手段】光伝送ネットワーク（OTN）のフレームを伝送するフレーム伝送システムにおいて、OTNのマルチフレーム周期のｎ倍（ｎは２以上の整数）の周期に同期して、マルチフレーム化して伝送するオーバーヘッド（ＯＨ）情報を変更し、OTNのマルチフレーム周期のｎ倍（ｎは２以上の整数）の周期の間、ＯＨ情報をマルチフレーム化してｎ回繰り返して伝送するように構成する。また、ｎ個のＯＨ情報同士を比較し、一致する数が最も多いＯＨ情報を用いてOTNのフレームを処理するように構成する。マルチフレーム周期のｎ倍の周期は、OTNのMFAS、OFMIおよびLLMの内の２つ以上に基づいて識別されるOTNフレームの数の最小公倍数となるOTNフレームの個数に相当する周期とすることができる。【選択図】図４
2017059892.tif 000002
【特許請求の範囲】
【請求項１】
光伝送ネットワーク（OTN）のフレームを伝送するフレーム伝送システムであって、
OTNのマルチフレーム周期のｎ倍（ｎは２以上の整数）の周期に同期して、マルチフレーム化して伝送するオーバーヘッド（ＯＨ）情報を変更し、当該ＯＨ情報をマルチフレーム化してｎ回繰り返して伝送するように構成された、フレーム伝送システム。
【請求項２】
ｎは３以上の整数であって、マルチフレーム化して伝送されたｎ個のＯＨ情報同士を比較し、一致する数が最も多いＯＨ情報を用いてOTNのフレームを処理するように構成された、請求項１に記載のフレーム伝送システム。
【請求項３】
前記マルチフレーム周期のｎ倍の周期は、あるマルチフレーム周期に含まれるOTNフレームの個数と、１つまたは複数の他のマルチフレーム周期に含まれるOTNフレームの個数との最小公倍数となるOTNフレームの個数に相当する周期である、請求項１または２に記載のフレーム伝送システム。
【請求項４】
光伝送ネットワーク（OTN）のフレームを送信するフレーム伝送装置であって、
OTNのマルチフレーム周期のｎ倍（ｎは２以上の整数）の周期に同期して、マルチフレーム化して伝送するオーバーヘッド（ＯＨ）情報を変更し、当該ＯＨ情報をマルチフレーム化してｎ回繰り返して送信するように構成された、フレーム伝送装置。
【請求項５】
前記マルチフレーム周期のｎ倍の周期は、あるマルチフレーム周期に含まれるOTNフレームの個数と、１つまたは複数の他のマルチフレーム周期に含まれるOTNフレームの個数との最小公倍数となるOTNフレームの個数に相当する周期である、請求項４に記載のフレーム伝送装置。
【請求項６】
光伝送ネットワーク（OTN）のフレームを受信するフレーム伝送装置であって、
OTNのマルチフレーム周期のｎ倍（ｎは２以上の整数）の周期の間に、マルチフレーム化されたｎ個のＯＨ情報を受信するように構成され、前記ＯＨ情報は前記ｎ倍の周期に同期して変更され、前記ｎ倍の周期に同期して変更されるＯＨ情報に基づいてOTNのフレームを処理するように構成された、フレーム伝送装置。
【請求項７】
ｎは３以上の整数であって、受信したｎ個のＯＨ情報同士を比較し、一致する数が最も多いＯＨ情報を用いてOTNのフレームを処理するように構成された、請求項６に記載のフレーム伝送装置。
【発明の詳細な説明】
【技術分野】
【０００１】
本発明は、デジタルデータを格納したフレームを伝送するフレーム伝送システムおよびフレーム伝送装置に関し、より詳細には、基幹通信網で用いられる通信規格である「光伝送網」（Optical Transport Network、OTN）に準拠したフレームを伝送するフレーム伝送システムおよびフレーム伝送装置に関する。
【背景技術】
【０００２】
現在の基幹通信網では、国際標準化機関である「国際電気通信連合−電気通信標準化部門」（International Telecommunication Union - Telecommunication Standardization Sector、ITU-T）が勧告した「光伝送網」（Optical Transport Network、OTN）という光伝送規格が、広く利用されている。OTNは、波長多重（Wavelength Division Multiplex、WDM）信号の管理を意識した監視制御系、イーサネット（登録商標）や同期デジタルハイアラーキ（Synchronous Digital Hierarchy、SDH）などの多様なクライアント信号を収容して透過的に転送するためのビットレートやマッピング方式などを規定している。（非特許文献１参照）
【０００３】
図１は、OTNのフレーム構造を説明する図である。なお、OTNフレームを構成する各種フレームの冒頭には、データを伝送する際に用いられるアドレス情報や各種監視信号を格納するオーバーヘッドが付与されるが、以下ではオーバーヘッドをＯＨと略し、ＯＨに格納されて伝送される情報や信号をＯＨ情報と略して説明する。OPUkフレーム１１０は、イーサネット（登録商標）やSDHなどのクライアント信号１００が収容されたペイロード領域１１２と、クライアント信号の収容情報を提供するＯＨであるOPUk（Optical Channel Payload Unit-k）OH領域１１４で構成される。OPUkフレーム１１０には、エンド・ツー・エンドのパス監視やパフォーマンスモニタのための信号を提供する（格納する）ＯＨであるODUk（Optical Channel Data Unit-k）OH１２４が付与され、ODUkフレーム１２０が構成される。ODUkフレーム１２０には、３Ｒ再生（Re-amplification, reshaping, retiming）ポイント間の信号伝送である光チャネルの伝送に必要な保守・運用機能のための信号を提供する（格納する）OTUk（Optical Channel Transport Unit-k）ＯＨ１３４と、前方誤り訂正（Forward Error Correction、FEC）機能を提供するためのコード１３６が付与され、OTUkフレーム１３０が構成される。
【０００４】
OTNには、複数のOTNフレームを１まとまりとし、この１まとまりのOTNフレームで所定のＯＨ情報を送信する機能が備わる。この所定のＯＨ情報の送信に用いられる複数のOTNフレームは「マルチフレーム」と呼ばれ、マルチフレームを構成する複数のOTNフレームを用いて所定のＯＨ情報を伝送することをマルチフレーム化と呼ぶ。
【０００５】
以下、複数のOPUk OHを用いて送信される「多重構造拡張子」（Multiplex Structure Identifier、MSI）を例にとり、マルチフレームの概念を説明する。
【０００６】
図２（ａ）は、図１で説明したOTNフレーム構造をより詳細に説明する図である。OTNフレームの冒頭１行目の１〜７列にはフレーム同期（Frame Alignment、FA）OH２３０が定義され、それに続く１行目の８〜１４列にはOTUk OH１３４が定義されている。２〜４行目の１〜１４列にはODUk OH１２４が定義されている。１〜４行目の１５〜１６列にはOPUk OH１１４が定義され、１〜４行目の１７〜３８２４列にはペイロード１１２が定義される。１〜４行目の３８２５〜４０８０列にはOTUk FECコード１３６が定義される。
【０００７】
図２（ｂ）は、OTNフレームにおけるFA OH２３０の構成を示している。FA OHは、最初の６バイト（OTNフレームの１行目１〜６列に相当）にフレーム同期信号（Frame Alignment Signal、FAS）２３２が定義され、それに続く１バイト（同１行目７列に相当）にマルチフレーム同期信号（Multi-Frame Alignment Signal、MFAS）２３４が定義されている。MFASはカウンタと同等のものであり、MFASの値（MFAS値）は、１つのOTNフレーム１３０を送信する度に０（ビット列で「0000 0000」）から２５５（同「1111 1111」）のまでインクリメントされて付与される。MFAS値は、２５５に達すると再び０に戻ってインクリメントされる。MFAS値が０のOTNフレームから同２５５番のOTNフレームまでの１まとまりは「マルチフレーム」を構成し得る。なお、本明細書では、マルチフレームの１周期を「マルチフレーム周期」と呼ぶこととする。
【０００８】
図２（ｃ）は、OPUk OH１１４のより詳細な構成であって、特に複数のOPU4 OHを用いて送信されるOPU4 OHの情報の構成を示している。OPU4 OHの情報は、マルチフレーム化されて伝送されるＯＨ情報である。OTNフレームの１〜３行目の１５、１６列のそれぞれは、スタッフ制御（Justification Control、JC）バイトが定義されている。OTNフレームの４行目の１５列にはペイロード構造識別子（Payload Structure Identifier、PSI）が定義され、４行目の１６列にはOPUマルチフレーム識別子（OPU Multi-Frame Identifier、OMFI）が定義されている。１つのOTNフレーム１３０には、１つのPSI（１バイト）しか定義されていないが、１つのマルチフレームを構成する２５６個のOTNフレームで送信されるPSIを集積することで、図２（ｃ）の右図に示したようなＯＨ情報（OPU4 OHの情報（合計２５６バイト））が形成される。このように、２５６個のOTNフレームで構成されるマルチフレームを用いてマルチフレーム化されて伝送されるOPU4 OHの情報は、ＯＨ情報の１つである。
【０００９】
OPU4 OHの情報のうちで、MFAS２３４の値が２から８１までのOTNフレームのPSIを集積することで得られる８０バイトは、多重構造拡張子（Multiplex Structure Identifier、MSI）２４４を構成する。MSIには、OPUkペイロード１１２にクライアント信号がどのように収容されているかを示す情報が格納されている。より詳細には、MSIの各バイトは、トリビュタスロット（TS）がOPUkペイロード１１２に配置されるかどうか、TSが配置される場合には当該TSのトリビュタリポートの番号（TSの宛先）を示す。TSは、クライアント信号をマッピングしたトリビュタリユニットがさらにマッピングされるスロットである。
【００１０】
図３を参照して、OTNフレームの送受信について説明する。図３（ａ）は、OTNフレームを送受信するフレーム伝送システムの構成を説明する図である。図３（ａ）のフレーム伝送システム３００は、複数のフレーム伝送装置Ａ３２０と、複数のフレーム伝送装置Ｂ３６０と、これらフレーム伝送装置を接続するネットワーク３４０を備える。通常、フレーム伝送装置はOTNフレームを送信する機能と受信する機能の双方を備えるが、説明の簡略化のため、フレーム伝送装置Ａ３２０は送信機能のみを備えた構成であり、フレーム伝送装置Ｂ３６０は受信機能のみを備えた構成であるとして説明する。
【００１１】
送信側のフレーム伝送装置Ａ３２０は、図１に示した構成のOTNフレームにクライアント信号を収容するOTNフレーマ３２２と、OTNフレーマから出力された電気信号のOTNフレームを光信号に変換する光送信器（TX）３２４とを備える。また、フレーム伝送装置Ａ３２０は、通常は複数のOTNフレーマ３２２と光送信器３２４の組と、複数の光送信器から出力された波長の異なる光信号を波長多重する光波長多重（WDM）装置３２６とを備える。波長多重された光信号はネットワーク３４０へ送信される。
【００１２】
受信側のフレーム伝送装置Ｂ３６０は、ネットワーク３４０を介して受信した光信号を電気信号のOTNフレームに変換する光受信器（RX）３６４と、OTNフレームからクライアント信号を分離するOTNフレーマ３６２とを備える。また、フレーム伝送装置Ｂ３６０は、通常は複数のOTNフレーマおよび光受信器の組と、光波長多重（WDM）装置３６６とを備える。ネットワーク３４０を介して受信した光信号は波長多重されているため、光波長多重（WDM）装置３６６で単一の波長の光信号に分離される。それぞれの光信号は、光受信器３６４で電気信号のOTNフレームに変換された後、OTNフレーマ３６２でクライアント信号が分離される。
【００１３】
フレーム伝送装置Ｂ３６０におけるクライアント信号分離処理について、さらに詳述する。図３（ｂ）は、フレーム伝送装置ＢのOTNフレーマにおけるクライアント信号分離処理を説明する図である。OTNフレーマ３６２は、OH受信バッファ３８６と、制御部３８２と、分離器３８８とを備える。OTNフレーマ３６２のOH受信バッファ３８６は、受信したOTNフレームのOH(OPUk-OH、ODUk-OH、OTUk-OH、FA OH)を格納する。OTNフレーマの制御部は、受信したOTNフレームのFA OHに含まれるMFASを解読する。制御部３８２は、MFASの値が０であるOTNフレームを見出すと、当該OTNフレームが、１つのマルチフレームにおける最初のOTNフレームであると認識する。OH受信バッファ３８６は、少なくとも１マルチフレーム分（すなわち２５６個）のOTNフレームのOHを格納する。制御部３８２は、１マルチフレーム分のOTNフレームのPSIバイトを集積し、２５６バイトからなるPSI（ＯＨ情報）を形成する。制御部３８２は、２５６バイトのPSI（ＯＨ情報）を解析すること（より具体的には、PSIに含まれる８０バイトのMSIを解析すること）で、１マルチフレームを構成する２５６個のOTNフレームにおいてクライアント信号がどのように収容されているかを把握することができる。OTNフレーマの分離器３８８は、制御部３８２が解析したMSIに基づき、OTNフレームからクライアント信号を分離する。
【００１４】
以上述べたとおり、OTNは、多様なクライアント信号を収容してネットワークを伝送する機能を提供しているが、クライアント信号の収容情報は、１マルチフレームから得られる８０バイトのMSIを用いてフレーム伝送装置間で共有されている。
【先行技術文献】
【非特許文献】
【００１５】
【非特許文献１】International Telecommunication Union, “Interfaces for the optical transport network,” Recommendation ITU-T G.709/Y.1331, 2012年2月
【発明の概要】
【発明が解決しようとする課題】
【００１６】
OTNフレームには、図２（ａ）で示したように、FECコードが付与されている。フレーム伝送装置のOTNフレーマは、受信したOTNフレームにビット誤りが生じていたとしても、FECコードを用いてビット誤りを訂正することができる。
【００１７】
ただし、このようなOTNのFEC機能といえども万能ではなく、ビット誤りが所定の許容値を超えた場合には、OTNフレーマはOTNフレームに含まれるビット誤りを訂正できないこともある。ＯＨに格納されて伝送される情報や信号などのＯＨ情報にビット誤りが残存していたとすると、当該ＯＨ情報に基づく機能は期待したように動作しない。例えば、上記例において、マルチフレームを構成する２５６個のOTNフレームのうち、ある１つのOTNフレーム１３０のOPUk OH１１４におけるPSI２４２にビット誤りが残存していたとする。この場合、１マルチフレームから得られる８０バイトのMSIは正しい情報ではないが、この誤りが残存したＯＨ情報（MSI）を正しい情報と誤認して（ＯＨ情報（MSI）が変更されたものと誤認して）、受信側のフレーム伝送装置Ｂ３６０におけるOTNフレーマ３６２は、OTNフレームからクライアント信号を分離することになる。したがって、OTNフレーマ３６２は、OTNフレームからクライアント信号を正しく分離することができない。
【００１８】
上述したように、OTNでは、複数のOTNフレームを１まとまりとし、この１まとまりのOTNフレーム（マルチフレーム）を用いて所定のＯＨ情報をマルチフレーム化して送信する機能が備わっているが、マルチフレームを用いて送信されるＯＨ情報にビット誤りが１つでも残存した場合、受信側のフレーム伝送装置は、当該ＯＨ情報に基づく処理を正しく実行することができない、という課題があった。
【００１９】
本発明は、このような問題に鑑みてなされたもので、その目的とするところは、マルチフレーム全体にわたって送受信されるＯＨ情報に残存したビット誤りに対する耐性を高めた伝送システムおよびフレーム伝送装置を提供することにある。
【課題を解決するための手段】
【００２０】
このような目的を達成するために、本発明の一態様は、光伝送ネットワーク（OTN）のフレームを伝送するフレーム伝送システムである。フレーム伝送システムは、OTNのマルチフレーム周期のｎ倍（ｎは２以上の整数）の周期に同期して、マルチフレーム化して伝送するオーバーヘッド（ＯＨ）情報を変更するように構成されている。フレーム伝送システムは、OTNのマルチフレーム周期のｎ倍（ｎは２以上の整数）の周期の間、ＯＨ情報をマルチフレーム化してｎ回繰り返して伝送するように構成されている。
【００２１】
一実施形態では、上記マルチフレーム周期のｎ倍の周期は、OTNのあるマルチフレーム周期に含まれるOTNフレームの個数と、OTNの１つまたは複数の他のマルチフレーム周期に含まれるOTNフレームの個数との最小公倍数となるOTNフレームの個数に相当する周期とすることができる。
【００２２】
一実施形態では、ｎは３以上の整数とすることができる。フレーム伝送システムは、OTNのマルチフレーム周期のｎ倍（ｎは３以上の整数）の周期の間に、マルチフレーム化してｎ回以上繰り返して伝送されたｎ個のＯＨ情報同士を比較し、一致する数が最も多いＯＨ情報を用いてOTNのフレームを処理するように構成されてもよい。
【００２３】
本発明の一態様は、OTNのフレームを送信するフレーム伝送装置である。フレーム伝送装置は、OTNのマルチフレーム周期のｎ倍（ｎは２以上の整数）の周期に同期して、マルチフレーム化して伝送するオーバーヘッド（ＯＨ）情報を変更するように構成されている。フレーム伝送装置は、OTNのマルチフレーム周期のｎ倍（ｎは２以上の整数）の周期の間、ＯＨ情報をマルチフレーム化してｎ回繰り返して送信するように構成されている。一実施形態では、上記マルチフレーム周期のｎ倍の周期は、OTNのあるマルチフレーム周期に含まれるOTNフレームの個数と、OTNの１つまたは複数の他のマルチフレーム周期に含まれるOTNフレームの個数との最小公倍数となるOTNフレームの個数に相当する周期とすることができる。
【００２４】
本発明の一態様は、OTNのフレームを受信するフレーム伝送装置である。フレーム伝送装置は、OTNのマルチフレーム周期のｎ倍（ｎは２以上の整数）の周期の間に、マルチフレーム化されたｎ個のＯＨ情報を受信するように構成されている。ＯＨ情報は前記ｎ倍の周期に同期して変更され、レーム伝送装置は、上記ｎ倍の周期に同期して変更されるＯＨ情報に基づいてOTNのフレームを処理するように構成さている。一実施形態では、ｎは３以上の整数であって、フレーム伝送装置は、受信したｎ個のＯＨ情報同士を比較し、一致する数が最も多いＯＨ情報を用いてOTNのフレームを処理するように構成することができる。
【発明の効果】
【００２５】
以上説明したように、本発明によれば、マルチフレーム全体にわたって送受信されるＯＨ情報にビット誤りが存在した場合であっても、当該ビット誤りに対する高い耐性を有するフレーム伝送システムおよびフレーム伝送装置を提供することができる。
【図面の簡単な説明】
【００２６】
【図１】OTNのフレーム構造を説明する図である。
【図２】（ａ）はOTNフレーム構造をより詳細に説明する図であり、（ｂ）はOTNフレームにおけるFA OHの構成を示す図であり、（ｃ）は複数のOPU4 OHを用いて送信されるOPU4 OHの情報の構成を示す図である。
【図３】（ａ）はOTNフレームを送受信するフレーム伝送システムの構成を説明する図であり、（ｂ）はフレーム伝送装置ＢのOTNフレーマにおけるクライアント信号分離処理を説明する図である。
【図４】（ａ）は本発明の一実施形態に係るフレーム伝送システムの構成を説明する図であり、（ｂ）は本発明の一実施形態に係るOTNフレーマの構成を説明する図である。
【図５】本発明の一実施形態に係るクライアント信号の分離処理を説明する図である。
【図６】本発明の一実施形態に係るマルチフレーム化して伝送するＯＨ情報の変更の周期を説明する図である。
【発明を実施するための形態】
【００２７】
以下、図面を参照しながら本発明の実施形態について詳細に説明する。本発明に係るフレーム伝送システムは、OTNのフレーム（OTNの標準規格で特定（規定）されるフレーム）を伝送するシステムであって、OTNのマルチフレーム周期（OTNの標準規格で規定されるマルチフレームの周期）のｎ倍（ｎは２以上の整数）の周期に同期して、マルチフレーム化して伝送するＯＨ情報を変更するように構成されている。変更したＯＨ情報が、マルチフレーム周期のｎ倍の周期の間（ｎ個のマルチフレーム全体にわたって）、送受信される。これにより、ＯＨ情報の変更が残存したビット誤りによるものか、あるいは上記周期に同期して成されたものであるかの判別し、残存したビット誤りによるＯＨ情報の変更を正しい情報として誤認され処理に用いられることが抑制される。
【００２８】
以下の説明では具体的な数値例を示すが、本発明は、一般性を失うことなく、他の数値でも実施できる。また、OTNにおける１マルチフレームは、上述したような、MFASの値によって識別される２５６個のOTNフレームから構成されるものに限定されない。例えば、OMFIの値によって識別される８０個のOTNフレームから構成されるものや、LLM（Logical Lane Marker、FA OHの６列目）の値に基づいて識別される２０個のOTNフレームから構成されるものも、OTNにおける１マルチフレームを構成し得る。また、ＯＨ情報は、２５６個のOTNフレームのPSIバイトを集積して形成される２５６バイトのPSIや、PSIに含まれる８０バイトのMSIに限られない。他のＯＨ情報に適用することもできる。
【００２９】
（第１の実施形態）
本発明における第１の実施形態は、OTNで特定されるマルチフレーム周期のｎ倍（ｎは２以上の整数）の周期に同期して、マルチフレーム全体にわたって伝送するOH情報を変更する（OTNのマルチフレーム周期のｎ倍（ｎは２以上の整数）の周期の間に、変更したOH情報をｎ回伝送する）、というものである。以下、例として、MFASによって識別される２５６個のOTNフレームをOTNのマルチフレームとし、MSIをマルチフレーム全体にわたって（２５６個のOTNフレームを用いてマルチフレーム化して）伝送するOH情報として、第１の実施形態に係るフレーム伝送システムおよびフレーム伝送装置を説明する。
【００３０】
図４（ａ）は、第１の実施形態に係るフレーム伝送システムの構成を説明する図である。図４（ａ）の伝送システムは、図３（ａ）を用いて説明した伝送システム３００とほぼ同じである。図４（ａ）の伝送システム４００は、複数のフレーム伝送装置Ａ４２０と，複数のフレーム伝送装置Ｂ４６０と、これらフレーム伝送装置を接続するネットワーク４４０とを備える。通常、フレーム伝送装置はOTNフレームを送信する機能と受信する機能の双方を備えるが、説明の簡略化のため、フレーム伝送装置Ａ４２０は送信機能のみを備えた構成であり、フレーム伝送装置Ｂ４６０は受信機能のみを備えた構成であるとして説明する。
【００３１】
送信側のフレーム伝送装置Ａ４２０は、図１に示した構成のOTNフレームにクライアント信号を収容するOTNフレーマ４２２と、OTNフレーマから出力された電気信号のOTNフレームを光信号に変換する光送信器（TX）４２４とを備える。また、フレーム伝送装置Ａ４２０は、通常は複数のOTNフレーマ４２２と光送信器４２４の組と、複数の光送信器から出力された波長の異なる光信号を波長多重する光波長多重（WDM）装置４２６とを備える。波長多重された光信号はネットワーク４４０へ送信される。
【００３２】
受信側のフレーム伝送装置Ｂ４６０は、ネットワーク４４０を解して受信した光信号を電気信号のOTNフレームに変換する光受信器（RX）４６４と、OTNフレームからクライアント信号を分離するOTNフレーマ４６２とを備える。また、フレーム伝送装置Ｂ４６０は、通常は複数のOTNフレーマおよび光受信器の組と、光波長多重装置（WDM）４６６とを備える。ネットワーク４４０を解して受信した光信号は波長多重されているため、光波長多重（WDM）装置４６６で単一の波長の光信号に分離される。それぞれの光信号は、光受信器４６４で電気信号のOTNフレームに変換された後、OTNフレーマ４６２でクライアント信号が分離される。
【００３３】
図４（ｂ）は、本実施形態に係るOTNフレーマの構成を説明する図である。なお、図４（ａ）の説明と異なり、普遍的な実装態様では、OTNフレーマはクライアント信号の収容機能と分離機能の双方を搭載される。従って、図４（ｂ）では、上記収容機能と分離機能の双方を搭載したOTNフレーマ（４２２，４６２）の構成を記載している。OTNフレーマ（４２２，４６２）は、光受信器４６４が出力した電気信号のOTNフレームを受信し、受信したOTNフレームのOH(OPUk-OH、ODUk-OH、OTUk-OH、FA OH)を格納するOH受信バッファ４８６と、OH受信バッファに格納されたOTNフレームを受け取り、OTNフレームのOPUkペイロードに収容されているクライアント信号を分離する分離器４８８と、クライアント信号を受信してOPUkペイロードに格納し、所定のＯＨを付与してOTNフレームを形成して光送信器４２４に出力する多重器４８４と、制御部４８２とを備える。以下、図４（ｂ）を用いて、OTNフレーマにおけるクライアント信号の収容処理および分離処理について詳述する。
【００３４】
（収容処理）
OTNフレーマの多重器４８４は、制御部４８２から提供される８０バイトのMSIが示すOPUkペイロード内の配置に従い、OPUkペイロードに受信したクライアント信号を収容する。多重器４８４は、さらに、制御部より提供される情報に基づき、OPUk OH、ODUk OH、OTUk OHおよびFA OHを付与し、OTNフレームを形成する。ここで、MSIのようなマルチフレームを構成する複数のOTNフレームで送受信されるＯＨ情報については、以下のように扱われる。MSIの例では、多重器４８４は、制御部４８２から提供された８０バイトのMSIから図２（ｃ）の右図に記載された２５６バイトのＯＨ情報（OPU4 OHの情報）を形成し、FA OHにおけるMFASの値が０に設定されるOTNフレームのPSIバイトに当該ＯＨ情報の１バイト目を、MFASの値が１に設定されるOTNフレームのPSIバイトに当該ＯＨ情報の２バイト目を、・・・MFASの値が２５５に設定されるOTNフレームのPSIバイトにＯＨ情報の２５６バイト目を、順次付与する。多重器４８４は、形成されたOTNフレームを光送信器(TX)４２４に出力する。
【００３５】
本実施形態において、OTNフレーマの制御部４８２は、ＯＨ情報（すなわち、クライアント信号の収容情報であるMSIの値）を、MFASで識別される２５６個のOTNフレームのマルチフレーム周期のｎ倍（ｎは２以上の整数）の周期ごとに変更する。すなわち、OTNフレーマの制御部４８２は、MSIの値を、マルチフレーム周期のｎ倍の周期に同期して変更する。こうすることで、クライアント信号を収容する際のOTNフレーマのOPUkペイロード内の配置は、ｎ個の連続したマルチフレームのうち、必ず先頭のマルチフレームのMSIから変更されるようになる。そして、ｎ個の連続したマルチフレームには、必ず同じMSIの値が格納される。
【００３６】
なお、多重器４８４は、MSIの値の変更に応じて、クライアント信号を収容するOPUkペイロード内の配置を変更する。同様に、分離４８８は、OTNフレーマからからクライアント信号の分離する際の当該クライアント信号の配置（出力先）を、ｎ個の連続したマルチフレームのうちの先頭のマルチフレームを変更する。
【００３７】
（分離処理）
OTNフレーマのOH受信バッファ４８６は、受信したOTNフレームの各OHを格納する。OTNフレーマの制御部４８２は、後述する方法を用いて、あらかじめ定義されたｎ個（ｎは２以上の整数）の連続したマルチフレームのうち、先頭のマルチフレームを認識する。OTNフレーマの制御部４８２は、先頭であると認識したマルチフレームに対し、当該マルチフレームに含まれるOTNフレームのFA OH２３０を参照し、MFASを解読する。同時に、制御部４８２は、先頭のマルチフレームに含まれるOTNフレームのPSIバイトを集積し、２５６バイトからなるPSI（ＯＨ情報であるOPU4 OHの情報（図２（ｃ）右））と、そこに含まれる８０バイトのMSI２４４を形成する。制御部４８２は、当該MSIを分離器４８８に提供する。OTNフレーマの分離器４８８は、制御部から提供されたMSIに基づき、あらかじめ定義されたｎ個のマルチフレームに含まれるすべてのOTNフレームからクライアント信号を分離する。
【００３８】
上述したように、第１の実施形態に係るフレーム伝送システムでは、送信側のフレーム伝送装置４２０にて、マルチフレーム周期のｎ倍（ｎは２以上の整数）の周期に同期して、マルチフレーム全体にわたって送受信するOH情報を変更するようにし、受信側のフレーム伝送装置４６０にて、ｎ個の連続したマルチフレームのうち先頭のマルチフレームにおける当該OH情報を用いて、ｎ個の連続したマルチフレームを処理するようにしている。これにより、ｎ個の連続したマルチフレームのうち、先頭以外のマルチフレームにおいて、OH情報にビット誤りが生じていたとしても、ビット誤りを含むOH情報は無視されることから、ビット誤り耐性の強いフレーム伝送システムを実現できる。
【００３９】
なお、第１の実施形態に係るフレーム伝送システム４００では、これ以外にも種々のクライアント信号分離処理を採用することができる。以下、図４（ｂ）および図５を用いて、クライアント信号の分離処理における他の実施形態の例を説明する。
【００４０】
図５は、ｎ＝３を例に、第１の実施形態に係るクライアント信号の分離処理を説明する図である。OTNフレーマの制御部４８２は、後述する方法を用いて、あらかじめ定義されたｎ個（ｎは３以上の整数）の連続したマルチフレームのうち、先頭のマルチフレームを認識する。OTNフレーマの制御部４８２は、先頭であると認識したマルチフレームに対し、当該マルチフレームに含まれるOTNフレームのFA OH２３０を参照し、MFASを解読するとともに、先頭のマルチフレームに含まれるOTNフレームのPSIバイトを集積し、２５６バイトからなるPSI（ＯＨ情報であるOPU4 OHの情報（図２（ｃ）右））と、そこに含まれる８０バイトのMSI２４４を形成する。制御部４８２は、当該MSIを分離器４８８に提供する。制御部４８８は、先頭に引き続くマルチフレームの各々に対し、MFASを解読するとともに、８０バイトのMSI２４４を形成し、分離器へ提供する。
【００４１】
制御部４８８は、ｎ個（ｎは３以上の整数）の連続したマルチフレームの各々から形成されたｎ個のMSIついて、さらに以下の動作を行う。
（ａ）形成したすべてのMSIが同じ値の場合、制御部はMSI情報にビット誤りはないと判断し、当該MSIを分離器に提供する。
（ｂ）形成したMSIのうち１つでも異なる値のMSIが発見された場合、制御部はMSI情報のいずれかにビット誤りが存在すると判断し、得られたｎ個のMSIのうち、互いに一致する数が最も多いMSIを正常なMSIとして採用し、当該MSIを分離器に提供する。
【００４２】
OTNフレーマの分離器４８８は、制御部４８２から提供されたMSIに基づき、あらかじめ定義された３以上のマルチフレームに含まれるすべてのOTNフレームからクライアント信号を分離する。
【００４３】
上述したように、第１の実施形態に係るフレーム伝送システムでは、送信側のフレーム伝送装置にて、マルチフレーム周期のｎ倍（ｎは３以上の整数）の周期に同期して、マルチフレーム全体にわたって送受信するOH情報を変更するようにし、受信側のフレーム伝送装置にて、ｎ個の連続したマルチフレームのうち当該OH情報のうち、互いに一致する数が最も多いMSIを用いて、ｎ個の連続したマルチフレームを処理するようにしている。これにより、ｎ個の連続したマルチフレームのうち、先頭を含めたマルチフレームにおいてOH情報にビット誤りが生じていたとしても、ビット誤りを含むOH情報は無視されることから、ビット誤り耐性のより強いフレーム伝送システムを実現できる。
【００４４】
なお、フレーム伝送装置Ａとフレーム伝送装置Ｂとの間で、ｎ個の連続したマルチフレームのうちどのマルチフレームが先頭であるか認識できるようにするため、例えば、先頭となるマルチフレーム（図５の例では、マルチフレーム１に相当）に含まれ、MFASの値が０であるOTNフレームにおける未定義のＯＨ領域に、先頭のマルチフレームであることを示すフラグ情報を付与するようにすればよい。
【００４５】
（第２の実施形態）
本発明における第２の実施形態は、第１の実施形態で説明した「マルチフレーム周期のｎ倍の周期」が、あるマルチフレーム周期に含まれるOTNフレームの個数と、１つまたは複数の他のマルチフレーム周期に含まれるOTNフレームの個数との最小公倍数となるOTNフレーム数に相当する周期である、というものである。
【００４６】
図６を参照して本実施形態を説明する。図６は、本実施形態に係るマルチフレーム化して伝送するＯＨ情報の変更の周期を説明する図である。あるマルチフレームとしてMFASによって識別される２５６個のOTNフレームを、他のマルチフレームとしてOMFIによって識別される８０個のOTNフレームを例示している。
【００４７】
本実施形態に係る伝送システムおよびフレーム伝送装置の構成は、第１の実施形態で説明したそれとほぼ同様であるため、説明は省略する。
【００４８】
OMFIは、図２（ｃ）に示したように、OTNフレームの４行目１６列に定義されている。OMFI２４６を構成する１バイトのうち、下位７ビットを用いて、OTNフレームの送信順に０（ビット列で「000 0000」）から７９（同「100 1111」）までの値がインクリメントされて付与される。すなわち、OMFIは、８０個のOTNフレームをもって１つのマルチフレームを構成する。一方、MFASは、すでに詳述しているように、２５６個のOTNフレームをもって１つのマルチフレームを構成する。
【００４９】
OMFIで定義されるマルチフレームに含まれるOTNフレームの数８０と、MFASで定義されるマルチフレームに含まれるOTNフレームの数２５６との「最小公倍数」は、１２８０となる。すなわち、図６に示したように、OMFIとMFASの値がともに０である時点を起点として、その起点から１２８０個のOTNフレームが到達すると、その次の１２８１個目のOTNフレームでは、OMFIとMFASの値が再びともに０となる。
【００５０】
第１の実施形態では、MFASで定義されるマルチフレーム周期のｎ倍（ｎは３以上の整数）の周期に同期して、マルチフレーム全体にわたって送受信するOH情報を変更するようにしていた。第２の実施形態では、この「ｎ倍」を、OMFIで定義されるマルチフレームに含まれるOTNフレームの数８０と、MFASで定義されるマルチフレームに含まれるOTNフレームの数２５６との最小公倍数である１２８０個のOTNフレームの周期に相当する「５倍」のマルチフレーム周期とすればよい。そして、フレーム伝送装置は、OMFIとMFASの値がともに０となったタイミングをもって、マルチフレームの同期タイミングと認識すればよい。
【００５１】
第１の実施形態では、フレーム伝送装置間でマルチフレームの同期タイミングを認識できるようにするため、未定義のＯＨ領域に先頭のマルチフレームであることを示すフラグ情報を付与することを説明した。一方、第２の実施形態では、フレーム伝送装置のOTNフレーマは、OMFIとMFASの値を監視し、両者がともに０となったタイミングをもって、マルチフレームの同期タイミングと認識すればよいため、未定義のＯＨ領域を用いる必要がない。すなわち、本実施形態に係る伝送システムないしフレーム伝送装置は、OTNの標準規格を超える実装を伴うことなく、効率的なOTNフレームを伝送が可能になる。
【００５２】
OMFIとMFASの値を監視する代りに、LLMとMFASの値を監視し、LLM mod 20の値とMFASの値の両者がともに０となったタイミングをもって、マルチフレームの同期タイミングと認識してもよい。または、LLM、OMFIおよびMFASの値を監視して、LLM mod 20の値ならびにOMFIおよびMFASの値が０となったタイミングをもって、マルチフレームの同期タイミングと認識してもよい。
【符号の説明】
【００５３】
１００  クライアント信号
１１０  ＯＰＵｋフレーム
１１２  ＯＰＵｋペイロード
１１４  ＯＰＵｋオーバーヘッド
１２０  ＯＤＵｋフレーム
１２４  ＯＤＵｋオーバーヘッド
１３０  ＯＴＵｋフレーム
１３４  ＯＴＵｋオーバーヘッド
１３６  ＯＴＵｋＦＥＣ
２３０  フレーム同期（ＦＡ）オーバーヘッド
２３２  フレーム同期信号（ＦＡＳ）
２３４  マルチフレーム同期信号（ＭＦＡＳ）
２４２  ペイロード構造識別子（ＰＳＩ）
２４４  多重構造拡張子（ＭＳＩ）
２４６  ＯＰＵマルチフレーム識別子（ＯＭＦＩ）
３００，４００  フレーム伝送システム
３２０，３６０、４２０，４６０  フレーム伝送装置
３２２，３６２、４２２，４６２  ＯＴＮフレーマ
３４０，４４０  ネットワーク
３２４，４２４  光送信器
３２６，３６６，４２６，４６６  光波長多重装置
３６４，４６４  光受信器
３８２，４８２  制御部
４８４  多重器
３８６，４８６  ＯＨ受信バッファ
３８８，４８８  分離器
【図１】
2017059892.tif 000003
【図２】
2017059892.tif 000004
【図３】
2017059892.tif 000005
【図４】
2017059892.tif 000006
【図５】
2017059892.tif 000007
【図６】
2017059892.tif 000008
【手続補正書】
【提出日】平成28年12月28日(2016.12.28)
【手続補正１】
【補正対象書類名】明細書
【補正対象項目名】００２０
【補正方法】変更
【補正の内容】
【００２０】
このような目的を達成するために、本発明の一態様は、光伝送ネットワーク（ＯＴＮ）のフレームをフレーム伝送システムである。フレーム伝送システムは、ＯＴＮのフレーム送信するフレーム送信装置と、フレーム送信装置により送信されたＯＴＮのフレームを受信するフレーム受信装置とを備え、フレーム送信装置は、ＯＴＮのフレームに含まれる第１のマルチフレームの周期をカウントするための第１のオーバーヘッド（ＯＨ）情報の値と、ＯＴＮのフレームに含まれる第２のマルチフレームの周期をカウントするための第２のＯＨ情報の値とが所定の値と一致するタイミングに同期して、第１のマルチフレームの周期でマルチフレーム化して伝送するクライアント信号の収容情報を変更するように構成され、フレーム受信装置は、受信したＯＴＮのフレームに含まれる第１のＯＨ情報の値と、受信したＯＴＮのフレームに含まれる第２のＯＨ情報の値とが所定の値と一致するタイミングをもって、第１のマルチフレームの周期でマルチフレーム化して伝送されるクライアント信号の収容情報が変更されるタイミングと認識するように構成されている。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】変更
【補正の内容】
【００２４】
本発明の一態様は、ＯＴＮのフレームを受信するフレーム伝送装置である。フレーム伝送装置は、受信したＯＴＮのフレームに含まれる第１のマルチフレームの周期をカウントするための第１のオーバーヘッド（ＯＨ）情報の値と、受信した前記ＯＴＮのフレームに含まれる第２のマルチフレームの周期をカウントするための第２のＯＨ情報の値とが所定の値と一致するタイミングをもって、第１のマルチフレームの周期でマルチフレーム化して伝送されるクライアント信号の収容情報が変更されるタイミングと認識するように構成されている。フレーム伝送装置は、認識したタイミングに同期して変更される収容情報に基づいて受信したＯＴＮのフレームを処理するように構成さている。
【手続補正６】
【補正対象書類名】特許請求の範囲
【補正対象項目名】全文
【補正方法】変更
【補正の内容】
【特許請求の範囲】
【請求項１】
光伝送ネットワーク（ＯＴＮ）のフレームを送信するフレーム送信装置と、前記フレーム送信装置により送信された前記ＯＴＮのフレームを受信するフレーム受信装置とを備えたフレーム伝送システムであって、
前記フレーム送信装置は、前記ＯＴＮのフレームに含まれる第１のマルチフレームの周期をカウントするための第１のオーバーヘッド（ＯＨ）情報の値と、前記ＯＴＮのフレームに含まれる第２のマルチフレームの周期をカウントするための第２のＯＨ情報の値とが所定の値と一致するタイミングに同期して、前記第１のマルチフレームの周期でマルチフレーム化して伝送するクライアント信号の収容情報を変更するように構成され、
前記フレーム受信装置は、受信した前記ＯＴＮのフレームに含まれる前記第１のＯＨ情報の値と、受信した前記ＯＴＮのフレームに含まれる前記第２のＯＨ情報の値とが所定の値と一致するタイミングをもって、前記第１のマルチフレームの周期でマルチフレーム化して伝送される前記クライアント信号の収容情報が変更されるタイミングと認識するように構成された、フレーム伝送システム。
【請求項２】
光伝送ネットワーク（ＯＴＮ）のフレームを受信するフレーム伝送装置であって、
受信したＯＴＮのフレームに含まれる第１のマルチフレームの周期をカウントするための第１のオーバーヘッド（ＯＨ）情報の値と、受信した前記ＯＴＮのフレームに含まれる第２のマルチフレームの周期をカウントするための第２のＯＨ情報の値とが所定の値と一致するタイミングをもって、第１のマルチフレームの周期でマルチフレーム化して伝送されるクライアント信号の収容情報が変更されるタイミングと認識し、認識した前記タイミングに同期して変更される収容情報に基づいて受信したＯＴＮのフレームを処理するように構成された、フレーム伝送装置。